(57)【特許請求の範囲】
【請求項１】
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と、
e) 前記駆動モータの電流の所定以上の増加又は前記駆動モータの回転数の所定以上の減少から清掃終了を検出し、作業者に告知する清掃終了告知手段と、
を備え、
前記バフが前記上開閉部に固定されており、該上開閉部が閉じられることによって前記バフが前記被清掃光ディスクに接触するようになっていることを特徴とする光ディスク清掃装置。
【請求項２】
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と、
e) 前記駆動モータの電流の所定以上の増加又は前記駆動モータの回転数の所定以上の減少から清掃終了を検出し、駆動モータの回転数を減少させる又は駆動モータを停止する清掃終了モータ制御機構と、
を備え、
前記バフが前記上開閉部に固定されており、該上開閉部が閉じられることによって前記バフが前記被清掃光ディスクに接触するようになっていることを特徴とする光ディスク清掃装置。
【請求項３】
上開閉部が閉じられたときにそれを下固定部に固定する固定機構と、清掃終了が検出されたときに該固定機構を解除して上開閉部を開放する解除機構を備えることを特徴とする請求項１又は２に記載の光ディスク清掃装置。
【請求項４】
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と、
e) 前記駆動モータの電流の所定以上の減少又は前記駆動モータの回転数の所定以上の増加から上開閉部の開放を検出し、駆動モータの回転を停止する上開閉部開放モータ停止機構と、
を備え、
前記バフが前記上開閉部に固定されており、該上開閉部が閉じられることによって前記バフが前記被清掃光ディスクに接触するようになっていることを特徴とする光ディスク清掃装置。
【請求項５】
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と、
e) 前記上開閉部が閉じられた時、光ディスク又はバフに洗浄液を噴射又は噴霧する洗浄液噴射機構と、
を備え、
前記バフが前記上開閉部に固定されており、該上開閉部が閉じられることによって前記バフが前記被清掃光ディスクに接触するようになっており、
前記洗浄液噴射機構が、上開閉部の開閉に連動して容積が変化するポンプ室と該ポンプ室の吸入側及び吐出側に設けられた逆止弁から成るポンプを備えることを特徴とする光ディスク清掃装置。
【請求項６】
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と、
e) 前記上開閉部が閉じられた時、光ディスク又はバフに洗浄液を噴射又は噴霧する洗浄液噴射機構と、
を備え、
前記バフが前記上開閉部に固定されており、該上開閉部が閉じられることによって前記バフが前記被清掃光ディスクに接触するようになっており、
前記洗浄液噴射機構が、弾性を有するチューブとその両端に設けた逆止弁から成るポンプと、上開閉部の閉に連動して該チューブを押圧する機構から成ることを特徴とする光ディスク清掃装置。
【請求項７】
前記ポンプの少なくとも吸入側の逆止弁が、板状の弁体と、連続発泡樹脂から成り前記弁体を付勢する弾性体を備えることを特徴とする請求項５又は６に記載の光ディスク清掃装置。
【請求項８】
前記ポンプの吸入側の逆止弁の上流に、流動抵抗により洗浄液の吸入速度を減衰させる流速減衰機構を備えることを特徴とする請求項５〜７のいずれかに記載の光ディスク清掃装置。
【請求項９】
前記上開閉部が閉じられたときに前記駆動モータを回転させる自動回転機構を備えることを特徴とする請求項１〜８のいずれかに記載の光ディスク清掃装置。
【請求項１０】
前記上開閉部が開くとディスク支持手段の回転にブレーキをかけるブレーキ機構を備えることを特徴とする請求項１〜９のいずれかに記載の光ディスク清掃装置。
【請求項１１】
所定時間後に前記駆動モータの回転数を減少させる又は前記駆動モータの回転を停止するタイマー機構を備えることを特徴とする請求項１〜１０のいずれかに記載の光ディスク清掃装置。
【発明の詳細な説明】
【技術分野】
【０００１】
本発明は、ＣＤやＤＶＤ等の光ディスク読み出し面に付着した、ゴミ、指紋等の汚れを清掃する光ディスク清掃装置に関するものである。
【背景技術】
【０００２】
ビデオレンタルの媒体として多用されているＤＶＤ等の光ディスクは、読み取り面にゴミや指紋などの汚れが付着するとレンタルする商品の美観を損ねる上に、光を利用して記録された情報を読み取る原理上、読み取りが困難になる。このため、ビデオレンタル店等では頻繁な光ディスクの清掃を必要とする。このような簡易な清掃を目的にした既存の機械装置はなく、ディスクの読み取り面に付いた傷を、ディスクを削り取ることにより除去する修復装置を利用するか、人手により洗浄液をスプレーし布等で拭き取るという作業が行われている。【０００３】
特許文献１「ディスク洗浄装置」には、磁気ディスクや光ディスク等の製造過程において、研磨を終えたディスクを洗浄するためのディスク洗浄装置に関する記載がある。また特許文献２「光ディスク媒体清掃機構」には、洗浄液による光ディスク媒体の洗浄機構に関する記載がある。更に、特許文献３「光ディスクの洗浄装置及び塵垢吸着クロス」には光ディスクの情報記録面を自動的に洗浄する洗浄装置及びその洗浄装置に使用されるカートリッジ式の塵埃吸着クロスに関する記載がある。【０００４】
【特許文献１】特許公開平１１−９０３５８号
【特許文献２】特許公開平５−１０１６０４号
【特許文献３】特許公開平８−１８０６４３号
【発明の開示】
【発明が解決しようとする課題】
【０００５】
ビデオレンタル店においては、返却されたディスクの清掃が重要な作業であるが、顧客の集中する時間帯においては、短時間で清掃する機械装置に対する要望が強い。しかしながら、修復装置により清掃しようとすると、手動修復機であれば相当な手間と数十秒以上の時間を必要とする。自動修復機を用いると手間はあまり要しないが非常に高価であり、更に、ディスクの面を研磨するものであるためディスクが消耗するという問題がある。また、人力による作業も、洗浄液のスプレーと拭き取りという２段階の作業を必要とし、やはり数十秒を要すると共に、拭き取る布等に付着した塵芥でディスクを傷つけてしまう等の問題がある。【０００６】
特許文献１に記載の装置は磁気ディスクや光ディスク等の製造過程において使用することを目的にしており、装置が複雑で大きく、ビデオレンタル店の店頭などで使用するには不向きである。
特許文献２に記載の洗浄装置が対象とするのはカートリッジに収納されたディスクであるため、ＣＤやＤＶＤ等の単体ディスクの洗浄はできず、更に、洗浄に使用するパッドは回転運動をしないため、洗浄に相当な時間を必要とする。
特許文献３には光ディスク洗浄装置及びこの洗浄装置に使用されるカートリッジ式の塵埃吸着クロスに関する説明があるが、同装置はブラシによる洗浄と塵埃吸着クロスによる拭き上げの２段階で洗浄するため、装置が複雑で大型になり、且つ、洗浄に相当な時間を必要とするため、ビデオレンタル店の店頭などで使用するには不向きである。【０００７】
本発明は上記の課題を解決するために成されたもので、構造が簡単で小さく安価で、かつ、光ディスク清掃作業が短時間に実施できる光ディスク清掃装置を提供することを目的にしている。
【課題を解決するための手段】
【０００８】
上記課題を解決するために成された本発明に係る光ディスク清掃装置は、
a) 下固定部に被清掃光ディスクを回転可能に支持するディスク支持手段と、
b) 前記光ディスク面に平行であって、ディスク支持手段の回転軸と直交かつオフセットして配置された回転軸を有する円筒状のバフと、
c) 該バフを回転させる駆動モータと、
d) 弾性手段により前記下固定部に対して常時開状態に保たれる上開閉部と
を備え、
前記バフが前記上開閉部に固定されており、該上開閉部が閉じられることによって前記バフが前記被清掃光ディスクに接触するようになっていることを特徴とする。
【発明の効果】
【０００９】
本発明に係る光ディスク清掃装置は構造が簡単であるため、装置全体を小さくすることができ、安価なものとすることができる。従ってレンタル店等の店頭で容易に、且つ短時間で光ディスクの清掃を行うことができ、産業的に極めて有用である。
【図面の簡単な説明】
【００１０】
【図１】（Ａ）は本発明による光ディスク清掃の原理を説明する平面図、（Ｂ）は同正面図、（Ｃ）は同側面図である。
【図２】バフと光ディスクの接触部における運動を説明する拡大図である。
【図３】（Ａ）はディスク支持手段を支える転輪を説明する平面図、（Ｂ）は同正面図、（Ｃ）は同側面図である。
【図４】本発明の一実施例の側面図で（Ａ）は上開閉部が開いた清掃準備段階を、（Ｂ）は上開閉部が閉じられ駆動モータが回転を開始する段階を、（Ｃ）は上開閉部が完全に閉じられた清掃段階を示す。
【図５】ブレーキ機構を説明する側面図で（Ａ）はブレーキ状態を示し、（Ｂ）はブレーキ開放状態を示す。
【図６】（Ａ）は洗浄液供給ポンプの一例を示す正面断面図、（Ｂ）は同側面図である。
【図７】本発明の別の実施例の側面図で、（Ａ）は上開閉部が開の状態を、（Ｂ）は上開閉部が閉じられることにより洗浄液が噴霧される状態を、（Ｃ）は清掃段階を示す。
【図８】本発明の更に別の実施例の側面図で、（Ａ）は上開閉部が開の状態を、（Ｂ）は上開閉部が閉じられることにより洗浄液が噴霧される状態を、（Ｃ）は清掃段階を示す。
【図９】（Ａ）は洗浄液供給ポンプの別の例を示す正面図、（Ｂ）はそれで用いる逆止弁の断面図である。
【図１０】流速減衰部の一例を示す断面図である。
【図１１】（Ａ）は洗浄液供給ポンプに用いる逆止弁の別の例を示す断面図であり、（Ｂ）は該逆止弁における洗浄液の流通経路を示す概念図である。
【図１２】実施例のディスク清掃装置のバフ駆動モータの電流と回転数の変化のグラフである。
【符号の説明】
【００１１】
１０…下固定部
１１…被清掃光ディスク
１２…軸受け
１３…ディスク支持手段
１４…ディスクマット
１５…支え転輪
１６…ブレーキパッド
１７…バネ板
２０…上開閉部
２１…バフ
２２…バフボビン
２３…駆動モータ
２４…ブレーキリリース突起
２５…開閉手段
２６…スプレーボトル
２７…洗浄液タンク
３０…ポンプ本体
３１…シリンダ側リンク
３２…吸入口
３３…吸入側弁
３４…吐出口
３５…吐出側弁
３６…シリンダ
３７…ピストン
３８…Ｏリング
３９…ピストンロッド
４０…戻しバネ
４１…ピストン側リンク
４２…吸入チューブ
４３…吐出チューブ
４４…スプレーノズル
４５…ピン
４６…ポンプ固定部
４７…ポンプガイド溝
５０…チューブ
５１ａ、５１ｂ…逆止弁
５２…弁体
５３…弾性体
６０…流速減衰部
【発明を実施するための最良の形態】
【００１２】
上記光ディスク清掃装置のいくつかの望ましい実施形態を次に挙げる。
まず、バフに対向する位置に、前記ディスク支持手段を支える従動輪を設けることが望ましい。
次に、上開閉部が閉じられたときに駆動モータを回転させる自動回転機構を設けることが望ましい。
さらに、上開閉部が開くとディスク支持手段の回転にブレーキをかけるブレーキ機構を設けてもよい。
さらに、所定時間後に駆動モータの回転数を減少させる又は駆動モータの回転を停止するタイマー機構を設けることが望ましい。
さらに、上開閉部が閉じられた時、光ディスク又はバフに洗浄液を噴射又は噴霧する洗浄液噴射機構を設けることが望ましい。なお、ここで言う「噴射又は噴霧」には、液状で噴射する場合、霧状に噴霧する場合の他、液滴を滴下する場合や泡状で噴射する場合等も含む。
さらに、駆動モータの電流の所定以上の増加及び／又は回転数の所定以上の減少から清掃終了を検出し、作業者に告知する清掃終了告知手段を設けることが望ましい。
告知の手段としては、ランプ等の視覚的表示手段、ブザー等の音響的表示手段、バイブレータ等の触覚的表示手段又はそれらを任意に組み合わせた手段とすることができる。
また、同様の場合に駆動モータの回転数を大幅に減少させる又は駆動モータの回転を停止する清掃終了モータ制御機構を設けてもよい。
一方、駆動モータの電流の所定以上の減少及び／又は回転数の所定以上の増加から上開閉部の開放を検出し、駆動モータの回転を停止する上開閉部開放モータ停止機構を設けてもよい。
さらに、上開閉部が閉じられたときにそれを下固定部に固定する固定機構と、清掃終了が検出されたときに該固定機構を解除して上開閉部を開放する解除機構を設けることが望ましい。
前記バフとしては、前記駆動モータにより回転されるバフボビンと、その周囲に着脱可能且つバフボビンに対して回転しないように取り付けられているバフ材から成るものとすることができる。
またそのバフは、前記駆動モータにより回転されるバフボビンの軸方向に円盤状のバフ布又はバフ板を多数枚重ねたものとしてもよい。
洗浄液噴射機構には、弾性を有するチューブとその両端に設けた逆止弁から成るポンプと、上開閉部の閉に連動して該チューブを押圧する機構から成るものを使用することができる。
【００１３】
本発明に係る光ディスク清掃装置の動作原理を、図面を参照しながら説明する。
図１は本発明による光ディスク清掃装置の一実施形態の三面図で、図１（Ａ）は基本的部分の平面図、図１（Ｂ）は正面図、図１（Ｃ）は側面図である。
この図において、下部には玉軸受け１２などの軸受けによって回転自由に保持されたディスク支持手段１３があり、上部にはその回転軸c2が光ディスク１１の面に平行で、ディスク支持手段１３の回転軸c1と直交し且つオフセットするように配置されたバフ機構がある。バフ機構は、中心の糸巻状のバフボビン２２とその周囲に設けられた円筒状の柔軟性のあるスポンジ等でできたバフ２１（前記「バフ材」）から成り、バフボビン２２は直接又はギヤやベルト等を介して駆動モータ２３に接続され、バフ２１は適当な圧力で被清掃光ディスク１１に押し付けられている。図１においてクロスハッチングした領域は、バフ２１と被清掃光ディスク１１の接触部分を示す。【００１４】
バフ２１はバフボビン２２に対して着脱可能となっており、汚れたバフ２１は適宜交換される。その際、駆動モータ２３の回転力が正しくバフ２１（及び光ディスク１１）に伝達されるように、バフ２１がバフボビン２２に対して回転しないようにしておく必要がある。例えば、バフボビン２２の周囲に突起を設けたり、バフボビン２２を多角形とし、バフ２１の中心孔をそれよりもやや小さくしてバフボビン２２をそこに挿入するという構造をとることができる。なお、バフ２１としては、円盤状のバフ布（又はバフ板）を軸方向に多数重ねたものとすることもできる。光ディスクの外周側と内周側とではバフの消耗や汚れの程度が異なるが、バフ２１の構造をこのようにすることにより、消耗した（又は汚れた）部分のバフ布（板）のみを交換するということが可能となる。【００１５】
この状態で駆動モータ２３を図１（Ｃ）の矢印方向に回転させると、バフ２１と被清掃光ディスク１１の間の摩擦力により被清掃光ディスク１１はそのディスク支持手段１３と共に図１（Ａ）の矢印方向に回転する。【００１６】
図２は光ディスク１１とバフ２１の接触部分（図１（Ａ）のクロスハッチングの部分）における力学関係を説明するための図で、バフ２１の回転軸c2に平行な光ディスク１１の表面外周部上の直線上の３点（Ｐ１，Ｐ２，Ｐ３）が被清掃光ディスク１１と接触を開始し、被清掃光ディスク１１から離れるまでの軌跡と、同被清掃光ディスク１１の回転運動による軌跡を示している。また、バフ２１と被清掃光ディスク１１の間には滑り運動が生じるが、その滑り運動の最も少ない点を暫定的にＰ２として図示してある。【００１７】
この図２において、バフ２１上の点（Ｐ１，Ｐ２，Ｐ３）はバフ２１が回転することにより点（Ｑ１，Ｑ２，Ｑ３）に進むが、その間に被清掃光ディスク１１上の点（Ｐ１，Ｐ２，Ｐ３）は回転運動により、それぞれ（Ｒ１，Ｒ２，Ｒ３）に進むことになる。この結果、被清掃光ディスク１１とバフ２１の間には、それぞれＱ１−Ｒ１、Ｑ２−Ｒ２、Ｑ３−Ｒ３の滑り運動が生じ、この滑り運動によりバフ２１で被清掃光ディスク１１の表面を拭くことができる。【００１８】
ディスク支持手段１３は被清掃光ディスク１１を経てバフ２１の押し付けによる力を受けるため、その軸及びターンテーブル部は金属等の剛性の高い素材を使用するか、樹脂等のように剛性の低い素材を使用する場合は厚さを厚くしたりリブ構造にする必要がある。図３に示すように、ディスク支持手段１３がバフ２１の圧力を受ける部分の中心（力点）に、玉軸受けなどにより支持された従動輪である支え転輪１５を設けることにより、ディスク支持手段の軸受けや軸及びターンテーブルを樹脂などの柔軟で軽量な素材で構成する事が可能である。
【実施例】
【００１９】
図４は、本発明による光ディスク清掃装置の具体的な実施例の一つを示すものである。本実施例の光ディスク清掃装置は、大きく二つの部分により構成されている。第一は下固定部１０で、下固定部はディスク支持手段１３を回転自由に支える軸受け１２を保持し、更に、上開閉部２０をばね蝶番などの開閉手段２５を経て支えている。第二は上開閉部２０で、光ディスク１１を清掃する円筒状のバフ２１と、そのバフ２１を保持するバフボビン２２と、バフボビン２２を経てバフ２１を回転駆動する図示しない駆動モータ２３があり、ばね蝶番や他のばね機構により図４（Ａ）のように下固定部１０に対し被清掃光ディスク１１を容易に出し入れ可能な開度まで開くようになっている。【００２０】
実際の清掃作業は、図４（Ａ）に示すように、上開閉部２０が開いた状態で、被清掃光ディスク１１をディスク支持手段１３上に置き、続いて洗浄液をスプレーボトル２６等を利用して被清掃光ディスク１１に噴霧し、続いて、図４（Ｂ）のように上開閉部２０を人力で閉じていくと、上開閉部２０が所定の角度に達した時点で図示しない駆動モータ２３が回転をはじめ、更に上開閉部２０の閉が進むと、バフ２１が被清掃光ディスク１１と接触し、被清掃光ディスク１１が前記力学関係により回転を始め、清掃が開始される。【００２１】
この清掃作業は、適当な構成の洗浄液を適量噴霧し、概ね直径が60mm程度のバフと、概ね3000RPMの速度でバフを回転させる駆動モータを使用すると、3秒から5秒程度で終了する。なお、本実施例の光ディスク清掃装置では、光ディスク１１を清掃している間、作業者は上開閉部２０を手で押さえておく。清掃終了後、作業者が上開閉部２０の押圧を開放すると、上開閉部２０はばね等の力により図４（Ａ）の角度に開く。その後、被清掃光ディスク１１を取り出し、一連の作業が終了する。【００２２】
図５は、ディスク支持手段１３の回転運動に対するブレーキ機構を有する実施例に関する図である。ブレーキ機構は下固定部１０に設けられ、ブレーキパッド１６とバネ板１７から成る。バネ板１７は樹脂又は金属から成り、上下方向には弾性があり、ディスク支持手段１３の回転方向には剛性を有する。上開閉部２０が開いている時にはブレーキパッド１６をディスク支持手段１３の下面に押圧する。一方、上開閉部２０にはブレーキリリース突起２４が設けられており、上開閉部２０が閉じると図５（Ｂ）のようにバネ板１７を下方に押し、ブレーキパッド１６をディスク支持手段１３から離す。すなわち、本実施例の光ディスク清掃装置では、上開閉部２０を閉じるとディスク支持手段１３は自由に回転でき、上開閉部２０を開くとブレーキパッド１６とディスク支持手段１３が接触し、速やかに光ディスク１１の回転が停止する。このため、清掃を終了した光ディスク１１の取出しが容易になる。【００２３】
上記説明ではブレーキのバネ機構をバネ板とし、ブレーキパッドとディスク支持手段の下面が接触し、その動作を上開閉部にあるブレーキリリース突起で実施する例を示したが、電気的なセンサと電磁的なブレーキなど、ブレーキをかける方法や作用する場所に関しては任意であり、本願発明の効果には影響しない。例えば、ディスク支持手段１３を保持する軸受け１２として、ゴム等の弾性材料から成る防水又は防塵用シール（ベアリングシール）を備えたものを使用することにより、該シール材にブレーキ機構の働きをさせることもできる。この場合、上開閉部２０が開いてバフがディスク面から離れると前記シール材の摩擦抵抗によって光ディスク１１の回転が速やかに減速される。同様の効果は、軸受け１２の内輪と外輪の間、又はディスク支持手段１３と下固定部１０の間に適度な摩擦抵抗を付与する他の手段を設けることによっても達成可能である。【００２４】
図６は上開閉部２０を閉じる力を利用して駆動する洗浄液供給ポンプの構造の一例で、図６（Ａ）は正面から見た断面図、図６（Ｂ）は側面図である。
洗浄液供給ポンプは、吸入口３２側にある吸入側弁３３と吐出口３４側にある吐出側弁３５と、シリンダ３６と、シリンダ側リンク３１を持つ本体３０と、シール用のＯリング３８を保持するピストン３７と、同ピストン３７を出し入れするピストンロッド３９と、同ピストン３７を押し戻す戻しバネ４０とピストン側リンク４１を持つピストン部より構成され、ピストンを出し入れすることにより、液体や気体を吸入口３２より吸入し、吐出口３４より吐出する。【００２５】
図７は、上記の洗浄液供給ポンプを利用した光ディスク清掃装置の第一の例を示す。洗浄液供給ポンプの本体はシリンダ側リンク３１を経て回転自在に上開閉部２０に設けたポンプ固定部４６に保持され、一方、ピストン部は、ピストン側リンク４１の穴に通したピン４５を経て下固定部１０に設けたポンプガイド溝４７に滑動回転自在に保持されている。【００２６】
洗浄液供給ポンプの吸入口３２には吸入チューブ４２が接続され、同チューブの他端は洗浄液タンク２７に接続される。吐出口３４には吐出チューブ４３が接続され、同チューブの他端にはスプレーノズル４４が接続される。【００２７】
図７（Ａ）は上開閉部２０が開の状態を示し、洗浄液供給ポンプのピストンは図６に示す戻しバネ４０により、シリンダの最も外側に位置している。上開閉部２０を閉じていくと、ピストン側リンク４１の穴に通したピン４５が下固定部１０に設けたポンプガイド溝４７の下端にぶつかり、それ以上下がることができなくなるため、ピストンを押し上げ始め、ポンプの吐出口３４に吐出チューブ４３を経て接続されたスプレーノズル４４から、上開閉部２０が完全に閉じるまでの間、被清掃光ディスク１１に向けて洗浄液が噴霧される。【００２８】
図８は、前記の洗浄液供給ポンプを利用した光ディスク清掃装置の第二の例を示す。洗浄液供給ポンプの本体はシリンダ側リンク３１を経て回転自在に下固定部１０に設けたポンプ固定部４６に保持され、一方、ピストン部は、ピストン側リンク４１の穴に通したピン４５を経て上開閉部２０に設けたガイド溝４７に滑動回転自在に保持されている。
洗浄液供給ポンプの吸入口３２には吸入チューブ４２が接続され、同チューブの他端は洗浄液タンク２７に接続される。吐出口３４には直接スプレーノズル４４が接続されている。【００２９】
図８（Ａ）は上開閉部２０が開の状態を示し、洗浄液供給ポンプのピストンは図６に示す戻しバネ４０により、シリンダの最も外側に位置している。上開閉部２０を閉じていくと、ピストン側リンク４１の穴に通したピン４５がガイド溝４７の上端にぶつかり、それ以上上がることができなくなるため、ピストンを押し下げ始め、ポンプの吐出口３４に接続されたスプレーノズル４４から、上開閉部２０が完全に閉じるまでの間、被清掃光ディスク１１に向けて洗浄液が噴霧される。
なお、図８では洗浄液供給ポンプの吐出口３４に直接スプレーノズル４４を接続した例を示したが、図７と同様にチューブを経てスプレーノズルを接続する事もできる。【００３０】
図９は、より単純なポンプの構造を示すものである。弾性のあるチューブ５０の一方の端には外から中への流通を許して逆方向を阻止する逆止弁５１ａを、他方の端には中から外への流通を許して逆方向を阻止する逆止弁５１ｂを、それぞれ設ける。チューブ５０の逆止弁５１ａ側の端を洗浄液タンクにつなぎ、逆止弁５１ｂ側の端にスプレーノズルを取り付ける。上開閉部を閉じる力により両者の間のチューブ５０を押しつぶす機構を設けておくことにより、上開閉部を閉じた時には逆止弁５１ａが閉じて逆止弁５１ｂが開き、スプレーノズルから洗浄液が噴射又は噴霧される。上開閉部を開くと弾性によりチューブ５０が復元し、タンクから洗浄液が逆止弁５１ａを通ってチューブ５０内に吸引される。【００３１】
以上の通り、図６又は図９に示すような洗浄液供給ポンプを備えた光ディスク清掃装置では、上開閉部の開閉に伴ってポンプから洗浄液が吐出又はポンプへ洗浄液が吸入されるが、この洗浄液吸入時の流入速度が大きいと、スプレーノズル４４から少量の洗浄液が吐出されて清掃後の光ディスクに付着する場合がある。これは、液体の慣性によって、シリンダ３６又はチューブ５０が最大容積となった後も洗浄液が流れ続けようとするためであり、このような場合には、洗浄液の吸入速度を遅くする必要がある。【００３２】
図１０に、洗浄液の吸入速度低減のための機構の一例を示す。これは、樹脂等で構成されたカップ状のケース６１に連続発泡樹脂から成るスポンジ６２又はフェルト等の繊維製品を充填したもの（以下、流速減衰部６０と呼ぶ）であり、洗浄液タンク２７に挿入される吸入チューブ４２の先端に取り付けて用いられる。上記洗浄液供給ポンプの作用によって吸入された洗浄液は、流速減衰部６０を通過する際の流動抵抗により、その流速が低減される。なお、このような流速減衰部は、ポンプの吸入側逆止弁５１ａ、３３の上流、すなわち吸入チューブ４２の先端から吸入側逆止弁の吸入口までの範囲であれば、いずれの部分に設けてもよい。【００３３】
また、上記洗浄液供給ポンプの吸入側逆止弁５１ａ、３３に上記流速減衰部と同様の機能を持たせることもできる。このような逆止弁の構造を図１１（Ａ）に示す。これは、逆止弁５１ａ、３３を、柔軟性を有するシリコンゴム等から成る板状（ディスク状）の弁体５２と連続発泡樹脂から成る弾性体５３で構成したものである。ここで弾性体５３は、弁体５２を付勢して逆止弁を閉じる役割を果たすと共に、図１１（Ｂ）に示すように、逆止弁内に流入した洗浄液を樹脂発泡体の連続した発泡セル内を通過させることにより洗浄液に流動抵抗を与え、その流速を低減する効果を奏する。このような逆止弁は、図９（Ｂ）のようなボール状の弁体とコイルバネを用いたものに比べて安価に製造できるため、流入速度の低減のみならず、部品のコストダウンを図ることもできる。【００３４】
以上、洗浄液供給ポンプ機構に関していくつかの例を示したが、他にもチューブポンプやギヤポンプ、電磁ポンプなどの各種ポンプが使用可能であり、その駆動も説明した２例では上開閉部２０を閉じる力を利用する例を示したが、上開閉部２０の開閉度合いを電気的スイッチで検出し、電気的に駆動する事も可能であり、いずれの方法を用いても本願発明の効果に影響しない。【００３５】
また、以上の説明は説明を容易にするために、上開閉部２０の開閉を開閉手段２５を中心とする回転運動としたが、リンク機構を用いてスライド方式としたり、軸と滑り軸受けを用いたスライド方法など、その方法は任意である。【００３６】
さらに、上記説明では、バフ２１の回転軸を上開閉部２０の開閉軸に平行に配置したが、直交など任意の角度に配置することが可能であり、同角度は本願発明の趣旨に影響することはない。【００３７】
次に、清掃作業の終了について説明する。光ディスクの清掃作業を必要以上に続ける事は作業の効率低下を招き、更に、強い摩擦係数でバフが稼動する事によるバフ寿命の短縮、同じ理由によりディスク表面に擦過傷を与えるなどの問題が生じる。一方、清掃完了前に作業を停止すると、汚れの拭き取り不完全や、噴霧した洗浄液の湿りが残って染みになるなどの問題がある。【００３８】
従って、光ディスクの清掃は、光ディスクとバフの間に洗浄液が丁度無くなった時点で停止するのが望ましいが、そのタイミングは、次のような要素により決まる。第一の要素は固定的な要素で、バフの回転速度、ディスクの回転中心とバフの回転中心のオフセット量、バフと被清掃光ディスクの押し付け圧力、バフの材質、洗浄液の組成等である。第二の要素は変動的な要素で、洗浄液の噴霧量、既往作業によるバフの濡れ度合い、バフの汚れ度合い、バフの耐久的変化等により変動し、気温や湿度にも影響を受ける。【００３９】
作業者が少し習熟すると、光ディスクとバフの間に洗浄液が無くなったとき、音や上開閉部２０の触覚でそれを判断することができる。従って、本発明に係る装置は、最もシンプルなものとしては、何ら自動終了機構を備えることなく、作業者による上開閉部２０の開閉に連動して駆動モータの停止／回転を行うものとすることができる。このとき、駆動モータの停止は、上開閉部２０がやや開き、バフが光ディスクから完全に離れてからとすることが望ましい。バフが光ディスクに接触した状態で駆動モータが停止すると、バフの痕跡が光ディスクに残ってしまうためである。【００４０】
なお、機構の何らかの不具合或いは作業者のミス等により上開閉部２０が閉まったままバフが長時間回転し続けるのを防止するため、タイマーにより駆動モータを停止するようにしておくことが望ましい。【００４１】
高機能の装置には、光ディスクとバフの間に洗浄液が無くなった時点を自動的に検出する手段を設けることができる。そのための機構を次に説明する。
図１２は清掃動作時の駆動モータの回転数と電流の変化を時系列に測定したものである。被清掃光ディスク１１をディスク支持手段１３に置き、洗浄液を噴霧後、上開閉部２０を人力で閉じると、上開閉部２０を完全に閉じる前に駆動モータ２３に通電され、当初は無負荷で回転を開始する。更に上開閉部２０の閉が進むと、バフ２１と回転停止状態の被清掃光ディスク１１が接触するため、両者間の摩擦により駆動モータ２３の回転数Ｒが一時的に急減し電流Ｉが急増する。この後、光ディスク１１及び同ディスク支持手段１３の回転数が上昇すると回転数Ｒと電流Ｉは安定域に入るが、噴霧した洗浄液がバフ２１で拭き取られ、更にバフ２１と被清掃光ディスク１１の高速回転で生じる遠心力による離散や、バフ２１と被清掃光ディスク１１間の摩擦による発熱で蒸発することにより乾燥すると、洗浄液によるバフ２１と被清掃光ディスク１１間の潤滑作用が消失するため、摩擦係数が増大し、その結果、回転数Ｒの減少と電流Ｉの増加が生じる。そして、作業者が押圧を停止し、ばね機構により上開閉部２０が開くと、バフ２１が光ディスク１１から離れ、回転数Ｒが急激に上昇し、電流Ｉが減少する。【００４２】
よって、駆動モータ２３の回転数Ｒ又は電流Ｉ、又は回転数Ｒと電流Ｉの双方をモニターし清掃の終了を検出することにより、上記した固定的・変動的要因による清掃時間の変化に対して、過剰でもなく不足でもない適切な作業時間で作業できるとともに、清掃結果が作業者のスキルに影響されないため、信頼性が高く効率的な作業を可能にする。【００４３】
従って、この駆動モータ２３の回転数Ｒの所定以上の低下又は電流Ｉの所定以上の上昇、或いはこれらの双方から作業終了を検出し、駆動モータを停止することにより作業を終了することができる。なお、バフと被清掃光ディスクが接触したまま停止すると、ディスクの接触部にバフの痕跡が残るため好ましくない。よって、このようにして清掃の終了を検出したとき、視覚的又は聴覚的又は触覚的伝達手段を用いて作業者に伝え、バフ及びディスクが回転した状態で作業者が上開閉部を開き、バフと被清掃光ディスクが非接触状態になってから駆動モータを停止させるようにしたほうがよい。【００４４】
更に、上開閉部２０にロック機構を設け、作業者が上開閉部２０を閉じたときにそのロック機構により上開閉部２０はそのまま閉状態を維持し、上記検出機構により清掃作業の終了が検出されたときにロック機構を解除し、自動的に上開閉部２０を開けるようにしてもよい。【００４５】
また、より好ましい態様として、上記同様の手段により清掃終了が検知された際（又は清掃開始から所定の時間が経過した際）には、駆動モータ２３の回転数を大幅に減少させ、その後、上開閉部２０が開かれてバフが光ディスクから離れた際に、モータ２３を完全に停止させるようにすることもできる。これにより、洗浄液による潤滑作用が消失した状態で高速稼働することによるバフの消耗やディスク表面の擦過傷の発生を抑えると同時に、ディスク上にバフの痕跡が残るのを防止することもできる。なお、このとき上開閉部２０は自動的に開くようにしてもよく、作業者が手動で開くようにしてもよい。後者の場合、清掃終了を作業者に告知する手段を別途設けてもよいが、このような告知手段を設けない場合でも、作業者は駆動モータ２３の回転数減少に伴う音又は振動の変化によって清掃作業の終了を知ることができる。
【図１】
0004843623.tif 000002
【図２】
0004843623.tif 000003
【図３】
0004843623.tif 000004
【図４】
0004843623.tif 000005
【図５】
0004843623.tif 000006
【図６】
0004843623.tif 000007
【図７】
0004843623.tif 000008
【図８】
0004843623.tif 000009
【図９】
0004843623.tif 000010
【図１０】
0004843623.tif 000011
【図１１】
0004843623.tif 000012
【図１２】
0004843623.tif 000013